(57)【要約】【課題】充填空間内に収納された内容物を、胴体の全域にわたる繰返しの扱き動作を行うことなしに効率的に注出できるチューブ容器を提案する。【解決手段】筒状の口頚部１ａを有するヘッド１と、該ヘッド１の下端に一体的につながり、その内側に内容物の充填空間Ｍを形成するとともに末端部を挟着、重合させて、該充填空間Ｍを密封する板状シール片２ａとした胴体２と、該口頚部１ａに係合保持され、該口頚部１ａを介して該充填空間Ｍにつながる注出口を有する注出キャップ３とを備え、該胴体２のスクイズにて該充填空間Ｍ内の内容物を該口頚部１ａおよび該注出口を通して外部へ注出するチューブ容器において、注出キャップ３に、該注出キャップ３の外周壁に沿って吊り下げられ、板状シール片２ａまたは板状シール片２ａに貼着された薄肉シート６を該注出キャップの外周壁との相互間で挟持して胴体２を二つ折り姿勢に保持する舌片５を設ける。【選択図】図１
2015145262.tif 000002
【特許請求の範囲】
【請求項１】
筒状の口頚部を有するヘッドと、該ヘッドの下端に一体的につながり、内部に内容物の充填空間を形成するとともに、末端部を挟着、重合させて、充填空間を密閉する板状シール片とした胴体と、該口頚部に係合保持され、口頚部を介して充填空間に連通する注出口を有する注出キャップとを備え、前記胴体のスクイズにより、充填空間の内容物を口頚部および注出口を経て外部へ注出するチューブ容器であって、
前記注出キャップに、該注出キャップの外周壁に沿って吊り下げられ、前記板状シール片または板状シール片に貼着された薄肉シートを該外周壁との相互間で挟持して前記胴体を二つ折り姿勢に保持する舌片を設けたことを特徴とするチューブ容器。
【請求項２】
前記舌片は、上端が前記注出キャップに一体連結する固定端であり、下端が前記板状シール片または薄肉シートの挿入口を形成する自由端であることを特徴とする請求項１記載のチューブ容器。
【請求項３】
前記舌片の内壁面および該内壁面に対向する前記注出キャップの外周壁の少なくとも一方に、前記板状シール片または薄肉シートに接触してその抜出しを防止する一以上の突条を設けたことを特徴とする請求項１または２に記載のチューブ容器。
【請求項４】
前記突条は、前記舌片の内壁面および該内壁面に対向する前記注出キャップの外周壁にそれぞれ間隔をおいて設けられた複数本からなり、その配列が一方の突条が他方の突条の相互間に指向する食い違い配列になることを特徴とする請求項３記載のチューブ容器。
【請求項５】
前記板状シール片または薄肉シートは、前記舌片の内壁面および該内壁面に対向する前記注出キャップの外周壁の少なくとも一方に設けられた突条に連係して該板状片または薄肉シートの抜出しを防止する少なくとも一つの突条を有することを特徴とする請求項３または４に記載したチューブ容器。
【発明の詳細な説明】
【技術分野】
【０００１】
本発明は、胴体をスクイズすることによって、ヘッドに装着した注出キャップの注出口を経て内容物を注出するチューブ容器に関するものである。
【背景技術】
【０００２】
練り歯磨きや調味料、化粧料、薬剤等を内容物として充填し、容器の胴体部分をスクイズすることによってヘッドに装着した注出キャップの注出口を経て内容物を注出するチューブ容器（スクイズ容器）は、円筒形からなる胴体の末端底部に設けられた開放端を通して内容物を充填したのち、該開放端を挟着、重合（熱シール法や超音波法等を適用する）しその部位に板状シール片を形成することによって内容物の充填空間を密封している。
【０００３】
通常、この種の容器は、充填空間内の内容物が減少してくると、充填空間内に残存する内容物をもれなく注出するために胴体部分を板状シール片から注出口に向けて扱き、内容物が存在している胴体部分を押圧して充填空間内の内容物を注出するのが一般的であるが、このような扱き作業は、胴体部分の全域について、しかも、内容物を注出する度毎に行う必要があることから、内容物を注出しずらく、使い勝手がよいとはいえないものであった。
【０００４】
この点に関し、例えば、特許文献１には、細板状の一対の板材の夫々の一方端部同士をヒンジ連結し、一方の板材の他方端部に係止孔を開設すると共に、他方の板材の他方端部に、一方の板材の係止孔に嵌入係止する係止片を突設し、一対の板材間でチューブ容器の一部を挟持するしごき具が提案されている。
【先行技術文献】
【特許文献】
【０００５】
【特許文献１】登録実用新案第３０４６９９７号公報
【発明の概要】
【発明が解決しようとする課題】
【０００６】
しかるに、上記従来のしごき具は、チューブ容器とは別途に製造される部材であり、部品点数の増加に伴う製造コストの上昇が避けられない不具合を有している。また、このようなしごき具は、チューブ容器から簡単に取り外しできることから、内容物を使い切るまでの間に紛失してしまうことも懸念される。
【０００７】
本発明の課題は、余計な部材を使用したり、胴体の全域にわたる繰返しの扱き作業を要することなしに、充填空間内の内容物の全てを、円滑かつ効率的に注出できるチューブ容器を提案するところにある。
【課題を解決するための手段】
【０００８】
本発明は、筒状の口頚部を有するヘッドと、該ヘッドの下端に一体的につながり、内部に内容物の充填空間を形成するとともに、末端部を挟着、重合させて、充填空間を密閉する板状シール片とした胴体と、該口頚部に係合保持され、口頚部を介して充填空間に連通する注出口を有する注出キャップとを備え、前記胴体のスクイズにより、充填空間の内容物を口頚部および注出口を経て外部へ注出するチューブ容器であって、前記注出キャップに、該注出キャップの外周壁に沿って吊り下げられ、前記板状シール片または板状シール片に貼着された薄肉シートを該外周壁との相互間で挟持して前記胴体を二つ折り姿勢に保持する舌片を設けたことを特徴とするチューブ容器である。
【０００９】
また、本発明のチューブ容器は、舌片の上端を固定端とし、下端を板状シール片または薄肉シートの挿入口を形成する自由端とするのが好ましい。
【００１０】
また、本発明のチューブ容器は、舌片の内壁面および該内壁面に対向する前記注出キャップの外周壁の少なくとも一方に、前記板状シール片または薄肉シートに接触してその抜出しを防止する一以上の突条を設けるのが望ましい。また、板状シール片についても一以上の突条を設けることができる。
【００１１】
また、本発明のチューブ容器は、突条を、舌片の内壁面および該内壁面に対向する注出キャップの外周壁にそれぞれ間隔をおいて設けられた複数本からなるものとし、その配列が一方の突条が他方の突条の相互間に指向する食い違い配列にするのが望ましい。
【００１２】
さらに、本発明のチューブ容器は、板状シール片に、舌片の内壁面および該内壁面に対向する前記注出キャップの外周壁の少なくとも一方に設けられた突条に連係して該板状片の抜出しを防止する少なくとも一つの突条を設けることができる。
【発明の効果】
【００１３】
本発明のチューブ容器によれば、板状シール片または薄肉シートを、注出キャップの外周壁に沿って吊り下げられた舌片と注出キャップの外出壁との間に挟持して胴体を二つ折り姿勢に保持するようにしたため、内容物の充填空間を減少させることが可能となり、扱き作業のための特別の構成部材が不要となることはもちろん、胴体の全体にわたる頻繁な扱き作業なしに、内容物のほぼ全てを十分円滑に、かつ効率的に注出することができる。とくに、通常のチューブ容器にあっては、充填空間内の内容物が減少していくと、保管時の載置姿勢（倒立置きした場合）は不安定なものとなるが、チューブ容器の胴体を二つ折り姿勢に保持することが可能な本発明のチューブ容器においては、全高さが低くなるので保管時の載置姿勢が安定しており（倒立置きした場合）、使い始めと変わらない使用性を確保し得る。また、本発明のチューブ容器は、胴部を折り畳んでフックに引っ掛けるものであるから容器の載置姿勢が安定化するだけでなく、扱き作業も必要ないので使い勝手がよい。
【００１４】
また、舌片の上端を注出キャップに一体連結してその部位を固定端とすることにより、注出キャップの成形と同時に舌片の成形が可能となり、部品点数の増加を抑制することができる(単一部材で構成できる)。また、舌片の下端を自由端とすることにより、注出キャップの外周壁と舌片との相互間への板状シール片の差込を簡単に行い得る。
【００１５】
また、本発明のチューブ容器によれば、舌片の内壁面および該内壁面に対向する注出キャップの外周壁の少なくとも一方に、板状シール片に接触してその抜出しを防止する一以上の突条を設けるようにしたため、板状シール片または薄肉シートの不測の抜け出しを、該突条をもって効果的に阻止することが可能であり、このことは、板状シール片に、注出キャップの外周壁と舌片との間からの抜け出しを拘束する一以上の突条を設けた場合にも同様である。
【００１６】
そしてまた、突条を、舌片の内壁面および該内壁面に対向する注出キャップの外周壁にそれぞれ間隔をおいて設けられた複数本からなるものとし、その配列を、一方の突条が他方の突条の相互間に指向する食い違い配列とした場合、それらの間で板状シール片または薄肉シートを挟持するとき、板状シール片の保持を、より確実なものとして、胴体の二つ折り姿勢を一層安定なものとすることができる。
【００１７】
さらに、板状シール片または薄肉シートに、舌片の内壁面および該内壁面に対向する前記注出キャップの外周壁の少なくとも一方に設けられた突条に連係する少なくとも一つの突条を設けることにより、舌片と注出キャップの外周壁との相互間における板状シール片または薄肉シートの挟持がより一層確実になる。
【図面の簡単な説明】
【００１８】
【図１】本発明に従うチューブ容器の実施の形態を模式的に示した図であり、（ａ）は正面図であり、（ｂ）は側面を断面で示した図（図１（ａ）のＡ-Ａ断面）である。
【図２】図１（ｂ）の要部を拡大して示した図である。
【図３】図２のＢ-Ｂ断面を示した図である。
【図４】本発明に従うチューブ容器の使用状態を示した断面図である。
【図５】本発明に従うチューブ容器の他の例を示した図である。
【図６】（ａ）（ｂ）は、本発明に従うチューブ容器の他の例を要部について示した図である。
【発明を実施するための形態】
【００１９】
以下、本発明を図面を用いてより具体的に説明する。
図１（ａ）（ｂ）は、本発明に従うチューブ容器の実施の形態を模式的に示した図であり、（ａ）はその正面を示した図、（ｂ）は、その側面図を断面（Ａ−Ａ断面）で示した図である。また、図２は、図１（ｂ）の蓋体を開放した状態を示す拡大断面図であり、図３は、図２のＢ−Ｂ断面を示した図である。
【００２０】
図における符号１は、ポリエチレンやポリプロピレン等にて構成することができるヘッドである。このヘッド１は、内容物の注出経路を形成する筒状の口頚部１ａと、円錐台形状をなしその頂部を該口頚部１ａの下端に一体連結したヘッド本体１ｂとから構成されている。口頚部１ａの外周壁には、後述する注出キャップを着脱自在に装着できるように、注出キャップのねじ部に係合可能なねじ部が設けられている。
【００２１】
また、２は、ヘッド１の下端に一体的につながり、その内側に内容物の充填空間Ｍを形成する筒状の胴体である。胴体２の末端部には、内容物を充填したのちに、該胴体２の壁部を相互に挟着、重合（熱融着等）して形成される板状シール片２ａが設けられている。
【００２２】
上記胴体２としては、例えば、ポリエチレン等の合成樹脂にて構成されたもの（合成樹脂の層を複数枚積層した積層体からなるものも含む）、あるいは、合成樹脂とアルミニウム箔等の金属製のシートとを積層した積層体にて構成されたもの（多層チューブ容器等）を用いることができる。なお、この胴体２は、金型を用いて上記合成樹脂や上記積層体を筒状に押し出す、押し出し成形法等を適用して成形することができる。
【００２３】
胴体２とヘッド１とは、例えば、ヘッド１の下端に設けられた図示しない段部において胴体２の上端縁部を重ね合わせ、その重ね合わせ部位を融着等の接合手段を適用することによって一体的に接合させることができる。
【００２４】
また、３は、ヘッド１の口頚部１ａに係合保持される注出キャップである。この注出キャップ３は、口頚部１ａの周りを取り囲み該口頚部１ａの外周壁に設けられたねじ部に係合可能な内筒３ａと、この内筒３ａの周りを間隔をおいて取り囲む外筒３ｂと、内筒３ａおよび外筒３ｂの上端を一体連結する天板３ｃと、この天板３ｃの上面に設けられ、口頚部１ａを通して胴体２の充填空間Ｍにつながる、たとえば、口頚部１ａに対して幾分偏心する注出口を形成する筒体３ｄと、天板３ｃの縁部にヒンジｈを介して回動可能に連結される蓋体３ｅから構成されている。
【００２５】
内筒３ａと外筒３ｂとは、例えば、対向配置になる一対の縦リブｒで一体連結することが可能であり、注出キャップ３を口頚部１ａに装着する際に、該縦リブｒの下端を、口頚部１ａの基部に設けられた突起１ｃに当接させることで注出キャップ３の口頚部１ａに対する位置決めを行うことができるようになっている。縦リブｒは、例えば、９０°間隔で４枚、あるいはそれ以上設けることも可能であり、その枚数については適宜変更することができる。
【００２６】
また、蓋体３ｅについては、天板３ｃの縁部の上面に当接可能な周壁３ｅ１と、この周壁３ｅ１の上端に一体連結してその内側に下向きに開放された凹所を形成する天面壁３ｅ２にて構成される。周壁３ｅ１の下面を該天板３ｃに当接させて蓋体３ｅを閉姿勢に保持したとき、ヒンジｈの対抗位置（チューブ容器の正面側）において該周壁３ｅ１と天板３ｃとがアンダーカットの如き手段にて着脱自在に係合する。そして、その際、注出口を形成する筒体３ｄは天面壁３ｅ２の裏面に設けられた筒体３ｆと嵌合して注出口は密閉状態に保持される。蓋体３ｅを閉姿勢に保持する際、上記の筒体３ｄと筒体３ｆとはアンダーカットにより係合させて注出口を密閉状態に保持することも可能であり、この場合、周壁３ｅ１と天板３ｃとの、アンダーカットによる係合は省略してもよい。
【００２７】
なお、この例では、ヘッド１の口頚部１ａと注出キャップ３の内筒３ａとをねじ部を介して係合させる構造のものについて示したが、アンダーカットの如き手段によって着脱自在に係合させるようにしてもよく、ヘッド１と注出キャップ３との着脱構造については図示のものに限定されない。
【００２８】
また、４は、板状シール片２ａの幅方向に直線状に延在させて設けた表裏各一つの突条、５は、ヒンジｈの直下位置で、注出キャップ３の外筒３ｂの外周壁に沿うように天板３ｃを固定端として吊り下げ保持された舌片である。この舌片５は、板状シール片２ａの挿入口（隙間）を形成するため、その下端は自由端になっている。舌片５は、具体的には、弾性変形可能なもので構成することにより板状シール片２ａの連係を容易にするが、該舌片５が弾性変形しにくい場合には、外筒３の壁部を局所的に弾性変形させてもよい。
【００２９】
なお、図１では、外筒３ｂの外周壁の一部および、舌片５の外周壁との対向面のそれぞれに、ともに断面形状が全体として鋸歯状をなし、板状シール片２ａの、図の下方側からの挿入を許容する一方、抜け出しを阻止する複数本の突条ｔ、ｔ１を、相互に半ピッチづつずらして配列、すなわち、一方の突条が他方の突条の相互間に指向する食い違い配列にしたものを例として示し、注出キャップ３の外筒３ｂと舌片５とで板状シール片２ａを挟持するとき、突条４が突条ｔ、ｔ１に強固に連係するようにしたが、突条ｔ、ｔ１の配列形態は任意に変更することが可能であり、図示のものに限定されない。また、板状シール片２ａに対する、舌片５と外筒３ａとによる十分な挟持力を担保し得る限りにおいては、このような突条ｔ、ｔ１および、板状シール片２ａの突条４は必須のものではない。さらに、突条ｔ、ｔ１は、互いに向かい合う対面配列としてもよい。
【００３０】
ここで、舌片５の内壁面に対向する注出キャップ３の外筒３ｂの外周壁には、図３に示すように、ヘッド１の径方向内側寄りに平坦面３ｂ１が設けられる。この平坦面３ｂ１により、舌片５がヘッド１の径方向外方へ突出するのを防止すること可能となる。また、この平坦面３ｂ１に合わせて舌片５をフラットな板状部材で構成することにより、外筒３ｂの外周壁の一部および舌片５はともに、板状シール片２ａを確実に挟持することができ、胴体２の二つ折り姿勢を安定的に保持し得る。
【００３１】
突条４については、板状シール片２ａの表裏にそれぞれ一つ設けた場合について示したが、該突条４は、間隔をおいて複数本設けることも可能であり、この点については限定されない。
【００３２】
図４は、胴体２の充填空間Ｍ内に収納された内容物が大きく減少したところで、胴体２の図の下半部分を扱いて充填空間Ｍ内の内容物を口頚部１ａ側に寄せ、板状シール片２ａを、外周壁の外面と舌片５との間に挿入して胴体２を二つ折り姿勢に保持した状態を示した図である。
【００３３】
チューブ容器の胴体２を２つ折り姿勢に保持した状態にあっては、胴体２の充填空間Ｍもほぼ半減することになることから、内容物の注出の都度、胴体２の全域を扱く必要はなくなり、胴体２の押圧をもって内容物の、円滑にして効率的な注出が可能となる。この際、しごき具のような別部材を使用する必要もない。
【００３４】
さらに、本発明に従うチューブ容器としては、舌片５によって挟持可能な図５に示す如き薄肉シート、例えば、ポップラベル６を、チューブ容器の胴体２の下端部、板状シール片２ａに貼着等しておき、必要に応じて、ポップラベルを舌片５に挟持させてチューブ容器の胴体２を二つ折り姿勢に保持してもよい。なおここで、ポップラベルとは、他の商品との差別化を高める宣伝広告用のラベルをいうが、とくに、チューブ容器の胴体２を二つ折り姿勢に保持する目的で使用される。
【００３５】
本発明に従うチューブ容器は、２つ折り姿勢に保持した場合、チューブ容器自体がコンパクトになるため、使用済みのチューブ容器を廃棄する際に、嵩張ることがない利点を有している。
【００３６】
なお、本発明のチューブ容器においては、板状シール片２ａの突条４は、図６（ａ）（ｂ）に示すように、胴体２の下端と板状シール片２ａの境界に設けることもできる。
【産業上の利用可能性】
【００３７】
本発明によれば、余計な部材を使用せず、しかも胴体の全域にわたる頻繁な扱き作業を要することなしに、胴体２を押圧するだけで、充填空間内の内容物の、円滑にして完全な注出を可能とするチューブ容器が提供できる。
【符号の説明】
【００３８】
１      ヘッド
１ａ    口頚部
１ｂ    ヘッド本体
１ｃ    突起
２      胴体
２ａ    板状シール片
３      注出キャップ
３ａ    内筒
３ｂ    外筒
３ｃ    天板
３ｄ    筒体
３ｅ    蓋体
３ｅ１  周壁
３ｅ２  天面壁
３ｆ    筒体
４      凸条
５      舌片
６      薄肉シート（ポップラベル）
ｈ      ヒンジ
ｒ      縦リブ
Ｍ      充填空間
【図１】
2015145262.tif 000003
【図２】
2015145262.tif 000004
【図３】
2015145262.tif 000005
【図４】
2015145262.tif 000006
【図５】
2015145262.tif 000007
【図６】
2015145262.tif 000008